(57)【要約】【課題】記録媒体を持ち上げることなく、開閉蓋を閉じるだけで吸引孔の開閉状態を記録媒体の幅に合った適切な状態にすることができる吸引プラテン機構を提供する。【解決手段】本適用例に係る吸引プラテン機構２０は、複数の吸引孔２１ｂからなる複数の吸引孔列２１ｃが設けられたプラテン面２１ａを有し、開閉蓋３０が閉じられるときに連動して記録媒体の搬送が行われる所定の位置に移動可能なプラテン２１と、前記吸引孔列２１ｃごとに設けられたシャッター部材２２と、前記プラテン２１が前記所定の位置にあるときに、前記吸引孔列２１ｃの上に前記記録媒体がある場合、前記シャッター部材２２と係合せず、前記シャッター部材２２を移動させないで前記吸引孔列２１ｃを開放し、前記記録媒体がなければ、前記シャッター部材と係合して前記シャッター部材２２を移動させて前記吸引孔列２１ｃを塞ぐ係合手段２３と、を備えている。【選択図】図６
2015139945.tif 000002
【特許請求の範囲】
【請求項１】
記録媒体の搬送方向に配列された複数の吸引孔からなる吸引孔列が前記搬送方向と直交する幅方向に複数設けられたプラテン面を有し、前記記録媒体の搬送が行われる所定の位置に移動可能なプラテンと、
前記吸引孔列ごとに設けられた吸引孔開閉部材と、
前記プラテンが前記所定の位置にあるときに、前記吸引孔列の上に前記記録媒体がある場合、前記吸引孔開閉部材と係合せず、前記吸引孔開閉部材を移動させないで前記吸引孔列を開放し、前記吸引孔列の上に前記記録媒体がない場合、前記吸引孔開閉部材と係合して前記吸引孔開閉部材を移動させて前記吸引孔列を塞ぐ係合手段と、を備えていることを特徴とする吸引プラテン機構。
【請求項２】
前記係合手段は、前記吸引孔開閉部材と係合する係合部材、を備え、
前記係合部材は、前記プラテン面に対して上方向に移動可能に支持されていることを特徴とする請求項１に記載の吸引プラテン機構。
【請求項３】
前記係合部材は、前記プラテン面に向かって延びた係合凸部、を備え、
前記係合手段は、前記プラテンが前記所定の位置に移動するときに、前記吸引孔列の上に前記記録媒体がある場合、前記係合部材を前記プラテン面に対して上方向に移動させ、前記係合凸部と前記プラテン面との間に前記記録媒体が通過可能な隙間を形成可能な位置に、前記係合部材を固定する係合位置固定部をさらに備えていることを特徴とする請求項２に記載の吸引プラテン機構。
【請求項４】
前記係合部材は、前記プラテンが前記所定の位置に移動するときに、前記記録媒体と重ならない前記吸引孔列に対する前記吸引孔開閉部材と係合し、前記搬送方向に延在する前記吸引孔開閉部材を上流側から下流側にスライドさせて前記吸引孔列を閉じることを特徴とする請求項２または３に記載の吸引プラテン機構。
【請求項５】
前記搬送方向に延在する前記吸引孔開閉部材には、前記吸引孔列を構成する前記吸引孔の配置と同じ配置の貫通孔が形成されていることを特徴とする請求項４に記載の吸引プラテン機構。
【請求項６】
前記吸引孔開閉部材と前記係合部材とは、前記プラテン面上を搬送可能な最小幅の前記記録媒体と重ならない位置に配置された前記吸引孔列に対して設けられていることを特徴とする、請求項２乃至５のいずれか１項に記載の吸引プラテン機構。
【請求項７】
請求項１乃至６のいずれか１項に記載の吸引プラテン機構と、
開けることで前記プラテンを退避させる位置に移動させ、閉じることで前記プラテンを前記所定の位置に移動させる開閉蓋と、を備えていることを特徴とする液滴吐出装置。
【請求項８】
前記記録媒体は、ロール状に巻きつけられた長尺物であり、
前記開閉蓋は、ロール状の前記記録媒体を前記液滴吐出装置に取り付ける際に開けられ、取り付けられた前記記録媒体の一部を前記プラテン面上に引き出した後に閉じられることを特徴とする請求項７に記載の液滴吐出装置。
【発明の詳細な説明】
【技術分野】
【０００１】
本発明は、吸引プラテン機構、当該吸引プラテン機構を備えた液滴吐出装置に関する。
【背景技術】
【０００２】
従来、液滴吐出装置においてプラテン面に記録媒体を密着させながら搬送するために、記録媒体を空気吸引によりプラテン面に密着させる吸引プラテンが知られている。吸引プラテンは、プラテン面に複数の吸引孔を設け、複数の吸引孔から空気を吸気ファンで外部に排気することで負圧を発生させて記録媒体をプラテン面に密着させる。
記録媒体によって塞がれず開放されている吸引孔がある場合、開放されている吸引孔から空気が吸引され、記録媒体に作用する吸引圧力が低下してしまう。そのため、記録媒体がプラテン面から浮き上がり、液滴吐出ヘッドと記録媒体との間に適切なプラテンギャップを得ることができず印刷品質が低下することや、液滴吐出ヘッドに記録媒体が擦れてしまいインク汚れが発生するという問題があった。
【０００３】
そこで、例えば、特許文献１に記載されているように、搬送されるシートに接触可能な接触部材を有し、接触部材とシートとの接触による接触部材の姿勢の変更に応じて選択的に吸引孔の開閉を行う吸引プラテンを有するインクジェット記録装置が提案されている。
上記特許文献１に記載された吸引プラテンは、吸引プラテンとファンを繋ぐダクトが吸引領域毎の複数の室に分割されている。吸引領域毎に分割された各室には、シートの搬送方向に接触部材と、接触部材と係合する開閉部材とが設けられている。搬送されるシートによって接触部材が押し倒されると、吸引孔を閉じていた開閉部材が支持軸を中心にして回動し吸引孔を開放する仕組みになっている。つまり、吸引孔の開閉状態を搬送されてくるシートの幅に合わせることができるというものである。
【先行技術文献】
【特許文献】
【０００４】
【特許文献１】特開２０１２−２１８４０６号公報
【発明の概要】
【発明が解決しようとする課題】
【０００５】
しかしながら、特許文献１に記載された吸引プラテンでは、シートによって接触部材を押し倒すことで吸引孔を開放するため、シートは接触した接触部材の数だけ接触部材からプラテン面に対して垂直上向き及び搬送方向と逆向きの反力を受けてしまう。そのため、例えば、シートの幅に対応して吸引領域を細かく分けてしまうと増えた吸引領域の分だけ接触部材の数を増やす必要があり、シートが受ける接触部材からの反力が増えてしまう。したがって、シートが受ける反力の増加に伴い、シートが接触部材により持ち上げられてしまい、シートと記録ヘッドとの間に適切なプラテンギャップが得られず印刷品質が低下することや、シートがたわんで変形するおそれがあるという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る吸引プラテン機構は、記録媒体の搬送方向に配列された複数の吸引孔からなる吸引孔列が前記搬送方向と直交する幅方向に複数設けられたプラテン面を有し、前記記録媒体の搬送が行われる所定の位置に移動可能なプラテンと、前記吸引孔列ごとに設けられた吸引孔開閉部材と、前記プラテンが前記所定の位置にあるときに、前記吸引孔列の上に前記記録媒体がある場合、前記吸引孔開閉部材と係合せず、前記吸引孔開閉部材を移動させないで前記吸引孔列を開放し、前記吸引孔列の上に前記記録媒体がない場合、前記吸引孔開閉部材と係合して前記吸引孔開閉部材を移動させて前記吸引孔列を塞ぐ係合手段と、を備えていることを特徴とする。
【０００８】
本適用例によれば、プラテンが移動して所定の位置にあるときに、吸引孔開閉部材と係合部材との間の記録媒体の有無に応じて吸引孔開閉部材と係合部材との係合状態を異ならせて吸引孔列を開閉するように構成した。プラテンが所定の位置にあるときに、吸引孔開閉部材と係合部材との間に記録媒体が存在する場合、吸引孔開閉部材と係合部材とが係合しない。そのため、プラテンが所定の位置に移動した後に記録媒体が搬送されても、係合部材によって記録媒体の搬送を遮らないため、記録媒体に反力を加えない。したがって、特許文献１のように記録媒体をプラテン面から持ち上げて印刷品質を低下させたり、記録媒体をたわませて変形させたりするおそれがなく、記録媒体の幅に適した吸引状態にすることが可能な吸引プラテン機構を実現することができる。
【０００９】
［適用例２］上記適用例に記載の吸引プラテン機構において、前記係合手段は、前記吸引孔開閉部材と係合する係合部材、を備え、前記係合部材は、前記プラテン面に対して上方向に移動可能に支持されていることが好ましい。
【００１０】
本適用例によれば、吸引孔開閉部材と係合する係合部材を、プラテン面に対して上方向に移動可能に支持するように係合手段を構成したので、係合部材と記録媒体とが接触しても係合部材をプラテン面に対して上方向に逃がすことができる。
【００１１】
［適用例３］上記適用例に記載の吸引プラテン機構において、前記係合部材は、前記プラテン面に向かって延びた係合凸部、を備え、前記係合手段は、前記プラテンが前記所定の位置に移動するときに、前記吸引孔列の上に前記記録媒体がある場合、前記係合部材を前記プラテン面に対して上方向に移動させ、前記係合凸部と前記プラテン面との間に前記記録媒体が通過可能な隙間を形成可能な位置に、前記係合部材を固定する係合位置固定部をさらに備えていることが好ましい。
【００１２】
本適用例によれば、プラテンが所定の位置に移動するときに、吸引孔列上に記録媒体がある場合、係合部材をプラテン面に対して上方向に離間させ、記録媒体が通過可能な隙間を係合凸部とプラテン面との間に形成可能な位置に固定するように構成した。そのため、プラテンが所定の位置に移動した後に、記録媒体の搬送を行っても、係合凸部と記録媒体とが接触せず、反力を加えない。
【００１３】
［適用例４］上記適用例に記載の吸引プラテン機構において、前記係合部材は、前記プラテンが前記所定の位置に移動するときに、前記記録媒体と重ならない前記吸引孔列に対する前記吸引孔開閉部材と係合し、前記搬送方向に延在する前記吸引孔開閉部材を上流側から下流側にスライドさせて前記吸引孔列を閉じることが好ましい。
【００１４】
本適用例によれば、プラテンが所定の位置に移動するときに、プラテン面に対して係合部材が搬送方向の上流から下流に移動して吸引孔開閉部材と係合して、吸引孔開閉部材を前記搬送方向の上流側から下流側にスライドさせて吸引孔列を閉じるように構成した。そのため、係合部材は、プラテンが所定の位置に移動するときにプラテン面に対して搬送方向の上流側から下流側に沿って移動することになる。したがって、記録媒体は、係合部材と接触しても、係合部材から搬送方向の力しか受けず、記録媒体をたわませない。
【００１５】
［適用例５］上記適用例に記載の吸引プラテン機構において、前記搬送方向に延在する前記吸引孔開閉部材には、前記吸引孔列を構成する前記吸引孔の配置と同じ配置の貫通孔が形成されていることが好ましい。
【００１６】
本適用例によれば、吸引孔開閉部材が、開閉を行う吸引孔列を構成する複数の吸引孔と同じ配置の貫通孔を備えるように構成したので、係合部材との係合によって吸引孔開閉部材の位置を貫通孔と吸引孔とが連通する位置からずらすだけで吸引孔を塞ぐことができる。
【００１７】
［適用例６］上記適用例に記載の吸引プラテン機構において、前記吸引孔開閉部材と前記係合部材とは、前記プラテン面上を搬送可能な最小幅の前記記録媒体と重ならない位置に配置された前記吸引孔列に対して設けられていることが好ましい。
【００１８】
本適用例によれば、吸引孔開閉部材と係合部材とを、プラテン面上を搬送可能な最小幅の記録媒体と重ならない位置に配置するように構成したので、吸引孔の開閉を行う際に記録媒体と接触する係合部材の数を減らすことができ、記録媒体が受ける反力をさらに小さくすることができる。
【００１９】
［適用例７］本適用例の液滴吐出装置は、上記適用例に記載の吸引プラテン機構と、開けることで前記プラテンを退避させる位置に移動させ、閉じることで前記プラテンを前記所定の位置に移動させる開閉蓋と、を備えていることを特徴とする。
【００２０】
本適用例によれば、上記適用例に記載の吸引プラテン機構と、開閉することによりプラテンを退避させる位置または所定の位置に移動させる開閉蓋とを備えている。そのため、開閉蓋を閉じる度に記録媒体の幅に適した吸引孔の開閉状態にすることができ、安定した印刷品質で印刷が可能な液滴吐出装置を提供することができる。
【００２１】
［適用例８］上記適用例に記載の液滴吐出装置において、前記記録媒体は、ロール状に巻きつけられた長尺物であり、前記開閉蓋は、ロール状の前記記録媒体を前記液滴吐出装置に取り付ける際に開けられ、取り付けられた前記記録媒体の一部を前記プラテン面上に引き出した後に閉じられることが好ましい。
【００２２】
本適用例によれば、ロール状の記録媒体を液滴吐出装置に取り付ける度に吸引孔の開閉状態を記録媒体の幅に適した状態にできる。
【図面の簡単な説明】
【００２３】
【図１】本実施形態のロール紙プリンターの外観斜視図。
【図２】開閉蓋を全開にした状態のロール紙プリンターの外観斜視図。
【図３】ロール紙プリンターの内部構造を示す概略断面図。
【図４】吸引プラテン機構の内部構造を示す上面図。
【図５】図４に示すＦ方向から見た吸引プラテン機構の内部構造を示す正面図。
【図６】図４に示すＳ‐Ｓ´破線断面から見た吸引プラテン機構の内部構造を示す図。
【図７】開閉蓋を開けて、ロール紙をセットしたときの吸引プラテン機構の状態を示す図。
【図８】図７における記録紙がある場合の吸引プラテン機構の初期動作を示す図。
【図９】図７における記録紙がある場合の吸引プラテン機構の記録紙と係合部材とが接触したときの状態を示す図。
【図１０】図７における記録紙がある場合の吸引プラテン機構の記録紙によって係合部材が持ち上げられる状態を示す図。
【図１１】図７における記録紙がある場合の吸引プラテン機構の開閉蓋が完全に閉まったときの状態を示す図。
【図１２】図７における記録紙がない場合の吸引プラテン機構の初期動作を示す図。
【図１３】図７における記録紙がない場合の吸引プラテン機構のプラテン面と係合部材とが接触したときの状態を示す図。
【図１４】図７における記録紙がない場合の吸引プラテン機構の係合部材がシャッター部材の被係合部に侵入したときの状態を示す図。
【図１５】図７における記録紙がない場合の吸引プラテン機構の開閉蓋が完全に閉まったときの状態を示す図。
【発明を実施するための形態】
【００２４】
以下、本発明を適用した液滴吐出装置の実施形態について、図面を参照して説明する。なお、以下の各図においては、各層や各部材を認識可能な程度の大きさにするため、各層や各部材の尺度を実際とは異ならせしめている。
【００２５】
＜液滴吐出装置＞
本発明の吸引プラテン機構を適用した液滴吐出装置として、ロール紙プリンターを例に挙げて説明を行う。このロール紙プリンターは、例えば、記録媒体としてのロール紙にインクジェット方式で印刷を行い、任意の長さにカットするラベルプリンターである。特に、ロール紙プリンターの内部にロール紙をセットする際に、ロール紙の吸引をロール紙の幅に適した状態にすることができる。
【００２６】
（全体構成）
図１は、本実施形態のロール紙プリンター１の外観斜視図であり、図２は開閉蓋３０を全開にした状態のロール紙プリンター１の外観斜視図である。
【００２７】
図１に示すように、ロール紙プリンター１は、全体として直方体形状をしたプリンター本体２と、当該プリンター本体２の操作ボタンなどが設けられた前面に取り付けられた開閉蓋３０とを有している。また、プリンター本体２の前面には所定幅の記録紙排出口４が形成されている。記録紙排出口４の下側には排紙ガイド３が前方に突出しており、当該排紙ガイド３の側方には蓋開閉レバー５が配置されている。プリンター本体２における排紙ガイド３及び蓋開閉レバー５の下側には、ロール紙出し入れ用の矩形の開口部が形成されており、この開口部が開閉蓋３０によって封鎖されている。
【００２８】
蓋開閉レバー５を操作すると開閉蓋３０のロックが解除される。ロック解除後、排紙ガイド３を前方に引くと図２に示すように、開閉蓋３０が下端部を中心として前方に開く。開閉蓋３０の一部には、排紙ガイド３とプラテン２１とが固定されており、開閉蓋３０の動きに連動して、排紙ガイド３とプラテン２１は、記録紙を搬送する所定の位置から移動し、記録紙の供給を行う退避の位置に引き出される。そして、プラテン２１の上面に設けられたプラテン面２１ａが現れ、上記開口部からプリンター内部に形成されたロール紙収納部７に至る経路が開放状態となる。同時に、ロール紙収納部７から記録紙排出口４に至る記録紙の搬送経路が開放状態となり、ロール紙の交換作業などを簡単に行うことができる。なお、開閉蓋３０の構成について詳しくは、後述する。
【００２９】
図３は、ロール紙プリンター１の内部構造を示す概略断面図である。ロール紙プリンター１の内部には、プリンター本体フレーム６における幅方向の中央部分にロール紙収納部７が形成されている。ロール紙収納部７には、ロール紙８の中心軸がプリンター幅方向に向いた横置き状態で収納される。
【００３０】
ロール紙収納部７の上側には、プリンター本体フレーム６の上端にヘッドユニットフレーム９が水平に取り付けられている。ヘッドユニットフレーム９にはプリンター幅方向にキャリッジガイド軸１０が水平に架け渡されている。このキャリッジガイド軸１０に沿って、インクジェットヘッド１１が下向き状態で搭載されたキャリッジ１２がプリンター幅方向に往復移動可能になっている。キャリッジ１２は公知のキャリッジ搬送装置、例えばキャリッジモーター及びタイミングベルトを備えたキャリッジ搬送機構によって、プリンター幅方向に往復移動される。また、キャリッジ１２の搬送方向の下流側に、係合手段２３が設けられている。
【００３１】
インクジェットヘッド１１の下側にはプリンター前後方向に水平に伸びるプラテン２１が配置されている。プラテン２１には、インクジェットヘッド１１に一定のギャップで対峙しているプラテン面２１ａがプリンター幅方向に水平に設けられており、このプラテン面２１ａによってインクジェットヘッド１１の印刷位置が規定されている。
本実施形態の吸引プラテン機構２０は、プラテン２１と、開閉蓋３０が閉じられたときにプラテン面２１ａに対向して配置されている係合手段２３とを含んで構成されている。
【００３２】
プラテン２１の後端には、ロール紙収納部７から引き出される長尺の記録紙８ａが架け渡されるテンションガイド１３が配置されている。テンションガイド１３は上方に付勢されており、ロール紙収納部７に収納されているロール紙８から引き出された記録紙８ａは、テンションガイド１３によって所定の張力が付与された状態で印刷を経由する搬送経路に引き出される。
【００３３】
プラテン２１におけるテンションガイド１３よりも前側の位置には紙送りローラー１４がプリンター幅方向に水平に架け渡されている。紙送りローラー１４には、記録紙８ａを介して、ヘッドユニットフレーム９の側に取り付けられている紙押さえローラー１５が所定の押圧力で上側から押しつけられている。プラテン２１におけるプラテン面２１ａの前端側の部位には、前側紙送りローラー１６がプリンター幅方向に水平に架け渡されている。この前側紙送りローラー１６には記録紙８ａを介して、ヘッドユニットフレーム９の側に取り付けられている前側紙押さえローラー１７が上側から押しつけられている。
【００３４】
ロール紙収納部７に収納されているロール紙８から上方に引き出される記録紙８ａは、図３において太い一点鎖線で示す搬送経路Ａに沿って搬送される。搬送経路Ａは、繰り出しローラー１８と紙押さえローラー１９との間を介して上方に向かい、テンションガイド１３を経由して前方に屈曲した後、紙送りローラー１４と紙押さえローラー１５との間、インクジェットヘッド１１とプラテン面２１ａとの間、及び前側紙送りローラー１６と前側紙押さえローラー１７との間を通って、記録紙排出口４に至る。
【００３５】
ロール紙８から繰り出された記録紙８ａはプラテン面２１ａに吸引された状態で搬送されて印刷位置を通過する。印刷位置ではキャリッジ１２をキャリッジガイド軸１０に沿って往復移動させながら、キャリッジ１２に搭載されているインクジェットヘッド１１により印刷が行われる。記録紙８ａの幅方向への一連の行印刷が終了した後は、繰り出しローラー１８、紙送りローラー１４、及び前側紙送りローラー１６が同期して回転駆動されて所定ピッチだけ記録紙８ａが送り出される。この後に、次の行印刷が行われる。このように、記録紙８ａは、所定ピッチで間欠的に送り出されながらインクジェットヘッド１１によって印刷が施される。印刷後の記録紙８ａは、記録紙排出口４に配置されたオートカッターによって幅方向に切断されて排出される。
【００３６】
＜吸引プラテン機構＞
まず、本実施形態のロール紙プリンター１が備える吸引プラテン機構２０の概略構成について図４〜６を参照しながら説明する。図４〜６は、開閉蓋３０が閉じられて係合手段２３とシャッター部材２２とが係合している状態の吸引プラテン機構２０を示す図である。図４は、記録紙８ａをプラテン面２１ａに吸引するための吸引プラテン機構２０を示す上面図である。図５は、図４に示すＦ方向から見た吸引プラテン機構２０の内部構造を示す正面図である。図６は図４に示すＳ‐Ｓ´破線断面から見た吸引プラテン機構２０の側面図である。図４に示す矢印Ｘは記録紙８ａの搬送方向を表し、矢印Ｙは記録紙８ａの幅方向を表す。以降、記録紙８ａの搬送方向をＸ方向、記録紙８ａの幅方向をＹ方向と呼ぶこととする。
【００３７】
図４に示すように、吸引プラテン機構２０は、プラテン２１、吸引孔開閉部材としてのシャッター部材２２、係合手段２３などから構成されている。
図４に示すように、プラテン２１は、Ｙ方向に長い扁平な直方体形状をしている。また、プラテン２１の上面に設けられたプラテン面２１ａには、複数の吸引孔２１ｂ1〜２１ｂ32が設けられている。複数の吸引孔２１ｂ1〜２１ｂ32は、Ｘ方向に配列した複数（４個）の吸引孔を単位としてＹ方向に並行する複数の吸引孔列２１ｃに区分されている。また、各吸引孔列２１ｃのＸ方向における下流側には、Ｘ方向に沿って長い長方形の形状の係合孔２１ｄが設けられている。
【００３８】
吸引孔２１ｂ1〜２１ｂ32は、シャッター部材２２により閉じられていない時に、プラテン２１内部に形成された吸引通路（図示省略）に連通可能となっている。プラテン２１の後端（Ｘ方向における上流側の端）は吸引通路に連通しており、吸引通路はプリンター本体フレーム６の背面板に取り付けられた吸引ファン（図示省略）に連通している。吸引ファンの排出口はプリンター後方に開口している。吸引ファンを駆動すると、各吸引孔２１ｂ1〜２１ｂ32からプラテン２１内部の吸引通路を介して空気が吸引される。吸引ファンによって形成されるこの吸引力によって、プラテン２１の上部を搬送される記録紙８ａがプラテン面２１ａに吸引されながら搬送される。以降、吸引孔２１ｂ1〜２１ｂ32を総称する場合、吸引孔２１ｂと呼ぶこととする。また、図４に示したＰ領域はインクジェットヘッド１１の印刷領域である。各吸引孔列２１ｃを構成する４つの吸引孔２１ｂのうち、内側に配置された２つの吸引孔２１ｂがＰ領域に対応して配置されており、その前後に配置された吸引孔２１ｂとともに吸引が行われることによって記録紙８ａの印刷部分をプラテン面２１ａに精度良く密着させる。
【００３９】
また、図４に示すように、吸引プラテン機構２０で搬送可能な最小幅の記録紙８ｍｉｎの搬送領域の外側に位置する吸引孔列２１ｃ毎に、Ｘ方向に沿って直方体形状をしたシャッター部材２２が設けられている。シャッター部材２２は、吸引孔列２１ｃを構成する吸引孔と同じ配置の貫通孔２２ａ1〜２２ａ4が形成されている。以降、貫通孔２２ａ1〜２２ａ4を総称する場合、貫通孔２２ａと呼ぶこととする。シャッター部材２２に形成される貫通孔２２ａの位置は、シャッター部材２２がＸ方向にスライドしたときに、吸引孔２１ｂと貫通孔２２ａが重ならない位置にある必要があり、各貫通孔２２ａが形成される位置は、貫通孔２２ａ4の位置を基準に決められる。貫通孔２２ａ4の位置は、シャッター部材２２がＸ方向にスライドしたときに、Ｘ方向において最も上流に位置する吸引孔２１ｂと貫通孔２２ａ4とが重ならないように、シャッター部材２２のＸ方向における上流側の端から吸引孔２１ｂよりも離れた位置に形成されている。また、シャッター部材２２は、Ｘ方向において上流に位置するシャッター部材２２の端とプラテン２１の内壁とはバネなどの弾性部材２２ｃで接続されている。
【００４０】
また、Ｘ方向におけるプラテン２１の下流かつ、プラテン面２１ａと対向する位置に係合手段２３が設けられている。
図５に示すように、係合手段２３は、係合部材２３ａ、係合位置固定部２３ｂ、弾性部材２３ｃを含んで構成されている。なお、係合手段上面２３ｅは、係合手段２３を垂直上方向から見た面である。
係合部材２３ａは、シャッター部材２２と係合するために、プラテン面２１ａに設けられた各係合孔２１ｄの上方において垂直方向に昇降可能に設けられている。各係合部材２３ａは、係合部材２３ａに対してＹ方向に設けられた支持軸２３ａ3に取り付けられており、支持軸２３ａ3を中心にして回動可能となっている。また、支持軸２３ａ3は係合手段２３に設けられた溝２３ｄに沿って、上下に移動する。溝２３ｄの上端は係合手段２３の垂直方向において開放され、溝２３ｄの下端は、係合部材２３ａが係合手段２３から外れないようにプラテン面２１ａと対面する端よりも少し高い位置で閉じられている。
【００４１】
図５に示すように、係合位置固定部２３ｂは、Ｙ方向にプラテン２１と水平かつ同じ長さを有した直方体の両端にプラテン面２１ａに対して垂直下向きに延びた２つの直方体が接合された形状となっている。
さらに、図６に示すように、係合位置固定部２３ｂの形状は、Ｘ方向上流側において面取りが施されて傾斜している。また、係合位置固定部２３ｂはＸ方向において係合部材２３ａよりも下流の位置に、Ｘ方向に沿って下流から上流に向けて移動可能に係合手段２３の内部に配置されている。さらに、係合位置固定部２３ｂのＸ方向の下流側の端と、係合手段２３のＸ方向の下流側の内壁とはバネなどの弾性部材２３ｃによって接続されている。
【００４２】
また、図６に示すように、係合部材２３ａは、支持軸２３ａ3を中心部に備えた円盤部２３ａ1と、円盤部２３ａ1からプラテン面２１ａに向かって延びた係合凸部２３ａ2と、円盤部２３ａ1のＸ方向上流に形成された回転防止凸部２３ａ4とを有している。係合凸部２３ａ2は、Ｙ方向から見たときに略Ｊ字状であり、プラテン面２１ａや記録紙８ａと接する下端部の面積が吸引孔２１ｂの直径よりも大きくなるように形成されている。回転防止凸部２３ａ4は、立方体形状をしており、回転防止凸部２３ａ4のＸ方向上流側に係合手段２３の内壁に対して水平な接触面を有している。
【００４３】
また、図６に示すように、係合凸部２３ａ2と係合するシャッター部材２２は、Ｘ方向において下流の端側に、係合凸部２３ａ2を係合させる被係合部２２ｂを有している。被係合部２２ｂは、シャッター部材２２のＸ方向の下流端に形成された被係合凸部２２ｂ1と、誘導溝２２ｂ2とを有している。誘導溝２２ｂ2は、係合凸部２３ａ2が侵入する入口部分にＸ方向の上流から下流にかけて深くなる傾斜を有している。また、シャッター部材２２と係合凸部２３ａ2とが係合する際に通る係合孔２１ｄにも、同様の傾斜が設けられている。
【００４４】
次に、開閉することによりプラテン２１を連動して移動させる開閉蓋３０の構成について説明を行う。図６に示すように、開閉蓋３０は、プラテン固定部３０ａと、係合位置固定動作部３０ｂと、開閉蓋本体３０ｃと、を有している。プラテン固定部３０ａは、開閉蓋３０が閉じられた時の上端部にプラテン２１が固定されている。プラテン固定部３０ａは、開閉蓋本体３０ｃに設けられた回転軸を中心に回転可能に支持されており、開閉蓋３０と供にプラテン２１を移動させるときのプラテン面２１ａの向きを、係合手段２３と対向する向きに固定する。また、開閉蓋本体３０ｃの下端部は、ロール紙プリンター１に設けられた回転軸を中心に回転可能にプリンター本体２に支持されている。
また、プラテン固定部３０ａのＹ方向の両方の側面には、係合位置固定動作部３０ｂが１つずつ設けられている。係合位置固定動作部３０ｂは、開閉蓋３０を閉じるときに、係合位置固定部２３ｂと係合させるため、プラテン固定部３０ａの垂直方向上端かつ、係合位置固定部２３ｂのＸ方向下流の位置に設けられている。また、係合位置固定動作部３０ｂは、Ｘ方向に長い直方体の形状をしている。
【００４５】
次に図７〜図１５を参照してロール紙プリンター１の吸引プラテン機構２０における吸引孔列２１ｃの開閉動作の概略を説明する。
吸引プラテン機構２０における吸引孔列２１ｃの開閉は、開閉蓋３０の開閉に連動して係合部材２３ａと被係合部２２ｂとを係合し、シャッター部材２２をＸ方向に移動させて行うものである。
【００４６】
ロール紙プリンター１にロール紙８を供給して開閉蓋３０を閉じた際の吸引孔列２１ｃの開閉動作を、記録紙８ａがある場合、記録紙８ａがない場合でそれぞれ説明する。
図７は、開閉蓋３０を開けてロール紙８を供給したときの吸引プラテン機構２０の状態を示す図である。
【００４７】
ロール紙プリンター１にロール紙８を供給する際、開閉蓋３０を開けてプラテン２１を引き出す。そして、ロール紙収納部７に設けられたロール紙ガイド７ａの片方をＹ方向に移動させて、ロール紙ガイド７ａの間にロール紙８をセットする。その後、ロール紙８の一部である記録紙８ａを排紙ガイド３まで引き出し、排紙ガイド３に設けられた排紙ガイド部材３ａを動かして、ロール紙８の幅に合わせた状態を表すのが図７である。この状態を初期状態として、吸引孔列２１ｃ上に記録紙８ａがある場合とない場合についてそれぞれ説明を行う。
【００４８】
まず、吸引孔列２１ｃ上に記録紙８ａがある場合の吸引プラテン機構２０の開閉動作について説明を行う。
図８〜図１１は、記録紙８ａがある場合の吸引プラテン機構２０の動作を表す図７のＰ−Ｐ´破線における吸引プラテン機構２０の断面図であり、図８は図７に示した初期状態でのＰ−Ｐ´破線における吸引プラテン機構２０の断面図である。図８〜図１１において、プリンター本体２は二点鎖線で図示している。
【００４９】
図８に示すように、開閉蓋３０が開放されているとき、シャッター部材２２は弾性部材２２ｃによってＸ方向の上流側に配置され、吸引孔列２１ｃを構成する吸引孔２１ｂと貫通孔２２ａの位置が合致しており、吸引孔列２１ｃは開放されている。また、係合手段２３においても、係合部材２３ａは、係合部材２３ａの自重により溝２３ｄに沿って溝２３ｄの下端部に移動している。また、係合位置固定部２３ｂも弾性部材２３ｃによってＸ方向の下流側に配置されており、係合部材２３ａの移動を阻害しない。この状態から、開閉蓋３０を閉めていき、係合凸部２３ａ2と記録紙８ａとが接触した状態を表す図が図９である。
【００５０】
図９は、図７に示したＰ−Ｐ´破線において記録紙８ａと係合部材２３ａとが接触したときの吸引プラテン機構２０の断面図である。開閉蓋３０が閉められても、プラテン２１は、プラテン固定部３０ａによって図８に示した初期状態と同じく接地面に対して平行な状態を維持してロール紙プリンター１の内部で上昇してインクジェットヘッド１１に近づいていく。そのため、記録紙８ａと係合凸部２３ａ2とが接触した場合、係合部材２３ａは、記録紙８ａ上をＸ方向に沿って移動しながら、上昇してきたプラテン２１によって溝２３ｄに沿って持ち上げられる。このとき、係合位置固定動作部３０ｂの位置は、係合位置固定部２３ｂと係合する位置まで上昇していないので、係合部材２３ａは、溝２３ｄに沿って自由に移動することができる。この状態から、さらに開閉蓋３０が閉められ、係合部材２３ａが、溝２３ｄに沿って移動し係合部材２３ａの円盤部２３ａ1の下部が係合位置固定部２３ｂの上部とほぼ同じ高さまで移動した状態を表す図が図１０である。
【００５１】
図１０は、図７に示したＰ−Ｐ´破線においてプラテン２１によって係合部材２３ａの円盤部２３ａ1の下部が係合位置固定部２３ｂの上部とほぼ同じ高さまで持ち上げられたときの吸引プラテン機構２０の断面図である。図１０に示すように、開閉蓋３０がさらに閉められると、係合位置固定部２３ｂが係合位置固定動作部３０ｂと係合して、係合位置固定動作部３０ｂによって係合位置固定部２３ｂはＸ方向と反対方向に押し出されて移動する。そして、係合位置固定部２３ｂによって係合部材２３ａが持ち上げられて、係合部材２３ａは記録紙８ａと接触しない位置に移動する。開閉蓋３０が完全に閉じられたときの吸引プラテン機構２０の状態を表す図が図１１である。
【００５２】
図１１は、図７に示したＰ−Ｐ´破線において開閉蓋３０が完全に閉じられたときの吸引プラテン機構２０の断面図である。図１１に示すように、記録紙８ａが被係合部２２ｂと係合凸部２３ａ2との間にあった場合、係合部材２３ａは、記録紙８ａ上を移動するため、係合しない。そのため、シャッター部材２２は、Ｘ方向にスライドせず、吸引孔２１ｂと貫通孔２２ａとの位置が合致した状態が維持され、吸引孔列２１ｃは開放される。また、係合部材２３ａは、記録紙８ａと接触しない位置で係合位置固定部２３ｂにより固定されている為、開閉蓋３０を閉じている間、記録紙８ａと接触することがない。
【００５３】
次に、吸引孔列２１ｃ上に記録紙８ａがない場合の吸引プラテン機構２０の開閉動作について説明を行う。
図１２〜図１５は、記録紙８ａがない場合の吸引プラテン機構２０の動作を表すＮＰ−ＮＰ´破線における吸引プラテン機構２０の断面図であり、図１２は図７に示した初期状態でのＮＰ−ＮＰ´破線における吸引プラテン機構２０の断面図である。図１２〜図１５において、プリンター本体２は破線で図示している。
図１２に示すように、開閉蓋３０が開放されているときは記録紙８ａがある場合と同様に、シャッター部材２２は弾性部材２２ｃによってＸ方向の上流側に配置され、吸引孔列２１ｃを構成する吸引孔２１ｂと貫通孔２２ａの位置が合致しており、吸引孔列２１ｃは開放されている。また、係合手段２３においても、係合部材２３ａは、係合部材２３ａの自重により溝２３ｄに沿って溝２３ｄの下端部に移動している。また、係合位置固定部２３ｂも弾性部材２３ｃによってＸ方向の下流側に配置されており、係合部材２３ａの移動を阻害しない。この状態から、開閉蓋３０をロール紙プリンター１側に閉めていき、係合部材２３ａとプラテン面２１ａとが接触した状態を表す図が図１３である。
【００５４】
図１３は、図７に示したＮＰ−ＮＰ´破線においてプラテン面２１ａと係合部材２３ａとが接触したときの吸引プラテン機構２０の断面図である。開閉蓋３０が閉められても、プラテン２１は、プラテン固定部３０ａによって図８に示した初期状態と同じく接地面に対して平行な状態を維持してロール紙プリンター１に接近しながら上昇してインクジェットヘッド１１に近づいていく。プラテン面２１ａと係合凸部２３ａ2とが接触しても、プラテン面２１ａと接触する係合凸部２３ａ2の面積が、吸引孔２１ｂよりも大きいため、係合部材２３ａは、吸引孔２１ｂに引っかからない。そのため、係合部材２３ａは、プラテン面２１ａ上をＸ方向に沿って移動しながら、上昇してきたプラテン２１によって溝２３ｄに沿って持ち上げられる。このとき、係合位置固定動作部３０ｂの位置は、係合位置固定部２３ｂと係合する位置まで開閉蓋３０が上昇していないので、係合部材２３ａは、溝２３ｄに沿って自由に移動することができる。この状態から、さらに開閉蓋３０が閉められ、係合部材２３ａが移動し、係合凸部２３ａ2が被係合部２２ｂに侵入した状態を表す図が図１４である。
【００５５】
図１４は、図７に示したＮＰ−ＮＰ´破線において開閉蓋３０が閉められるとともに、係合部材２３ａが被係合部２２ｂに侵入したときの吸引プラテン機構２０の断面図である。係合凸部２３ａ2は、開閉蓋３０が閉じられる際に、プラテン面２１ａに対してＸ方向の上流側から下流側に向けて移動する。係合孔２１ｄ及び被係合部２２ｂは、ともにＸ方向において下流側が深くなる傾斜を有している。そして、係合凸部２３ａ2は、開閉蓋３０が閉じられることによる移動に伴い、プラテン面２１ａのＸ方向における下流側に設けられた係合孔２１ｄを通って被係合部２２ｂに侵入して被係合部２２ｂの被係合凸部２２ｂ1と係合する。そのため、さらに開閉蓋３０が閉じられることにより、係合部材２３ａが移動する際に、係合部材２３ａと係合した被係合部２２ｂを有するシャッター部材２２がＸ方向において下流側に引っ張られスライドする。この状態から、開閉蓋３０が完全に閉められた状態を表す図が図１５である。
【００５６】
図１５は、図７に示したＮＰ−ＮＰ´破線において開閉蓋３０が閉められたときの吸引プラテン機構２０の断面図である。シャッター部材２２は、図１４の状態から開閉蓋３０が閉じられるとともに、係合凸部２３ａ2によりスライドさせられ、開閉蓋３０が完全に閉じられると、図１５に示すようにＸ方向において下流側のプラテン２１の内壁と接触する。そのため、プラテン面２１ａに設けられた吸引孔２１ｂとシャッター部材２２に設けられた貫通孔２２ａの位置がずれ、シャッター部材２２によって各吸引孔２１ｂが閉じられる。また、開閉蓋３０が閉じられることで係合位置固定動作部３０ｂと係合位置固定部２３ｂとが係合するので、係合位置固定部２３ｂがＸ方向の下流から上流に向かって移動する。そのため、開閉蓋３０が完全に閉じられると、係合位置固定部２３ｂは、係合手段２３内の係合部材２３ａの位置を、シャッター部材２２が吸引孔列２１ｃを塞いだ状態に固定する。したがって、開閉蓋３０が閉じられている間、吸引孔列２１ｃは塞がれた状態を維持することができる。
なお、吸引プラテン機構２０の動作について、図７に示したＰ−Ｐ´及びＮＰ−ＮＰ´破線の位置にある吸引孔列２１ｃの開閉動作を例に挙げて説明したが、他のシャッター部材２２についてもロール紙８の有無に応じて同様に開閉動作を行う。
【００５７】
以上述べたように、本実施形態に係るロール紙プリンター１によれば、以下の効果を得ることができる。
本実施形態に係るロール紙プリンター１によれば、吸引プラテン機構２０は、開閉蓋３０が閉じられる間に、プラテン面２１ａの各吸引孔列２１ｃ上に記録紙８ａがなければ各吸引孔列２１ｃに対応した係合部材２３ａとシャッター部材２２とが係合する。そして、開閉蓋３０が閉じられるにつれて、係合部材２３ａがシャッター部材２２をＸ方向の下流側にスライドさせ、吸引孔２１ｂと貫通孔２２ａとの位置をずらし、吸引孔列２１ｃを閉じる。そして、開閉蓋３０が最後まで閉じられると、係合位置固定動作部３０ｂと係合位置固定部２３ｂとが係合して、係合部材２３ａの位置を固定する。そして、開閉蓋３０が閉じられている間の吸引孔列２１ｃを閉じた状態が維持される。
また、プラテン面２１ａの各吸引孔列２１ｃ上に記録紙８ａがある場合、係合部材２３ａは開閉蓋３０が閉じられるにつれてプラテン２１によって上方向に持ち上げられるため、シャッター部材２２と係合しない。そして、開閉蓋３０が最後まで閉じられると、係合位置固定動作部３０ｂと係合位置固定部２３ｂとが係合して、係合位置固定部２３ｂが移動し、係合部材２３ａの位置を係合部材２３ａと記録紙８ａとが接触しない位置まで押し上げて固定する。そして、開閉蓋３０が閉じられている間の吸引孔列２１ｃの開放した状態が維持される。そのため、印字中に記録紙８ａと係合部材２３ａとが接触しないので、記録紙８ａが接触部材によって持ち上げられたり、たわませて変形させられたりすることなく吸引孔２１ｂの開閉状態を記録紙８ａの幅に合った状態にできる。
【００５８】
また、係合部材２３ａは、自重で下方向に移動し、プラテン２１の移動によって上方向に持ち上げられ、係合手段２３の内部に移動できるように配置されている。したがって、記録紙８ａと接触したとき、係合部材２３ａから記録紙８ａに加えられるプラテン面２１ａ対して下向きの反力を増加させることなく、吸引孔２１ｂの開閉状態をロール紙８に合わせることができる小型なロール紙プリンター１を実現できる。
【００５９】
また、係合部材２３ａは、開閉蓋３０が完全に閉じられた際に、溝２３ｄにおいて係合位置固定動作部３０ｂと係合位置固定部２３ｂとが係合して、その位置を固定される。そのため、開閉蓋３０が閉じられた後に印刷を行っても、係合部材２３ａと記録紙８ａとが接触しないので、記録紙８ａが搬送されているときの係合部材２３ａとの接触による印刷品質の低下を防ぐことができる。
【００６０】
また、吸引プラテン機構２０は、動作に電力を必要とする部品を使わず、吸引孔列２１ｃの開閉状態の切り替えを行える。そのため、適用されたロール紙プリンター１の消費電力を増加させることなく、吸引孔２１ｂの開閉状態をロール紙８に合わせることができる。
【００６１】
なお、本発明は上述した実施形態に限定されず、上述した実施形態に種々の変更や改良などを加えることが可能である。
【００６２】
（変形例１）
上記実施形態１では、吸引ファンの吸引力を調整せず常に一定の吸引力で吸引を行う構成で説明したが、吸引孔列２１ｃの開閉状態に応じて、吸引ファンの吸引力を調整してもよい。このようにすれば、搬送する記録紙８ａの幅に合わせて適切な吸引力で記録紙８ａの吸引を行うことができる。したがって、吸引ファンの動作に必要な消費電力を最適化することができ、消費電力の小さいロール紙プリンター１を実現することができる。
【符号の説明】
【００６３】
１…ロール紙プリンター、２…プリンター本体、３…排紙ガイド、４…記録紙排出口、５…蓋開閉レバー、６…プリンター本体フレーム、７…ロール紙収納部、８…ロール紙、８ａ…記録紙、８ｍｉｎ…最小幅の記録紙、９…ヘッドユニットフレーム、１０…キャリッジガイド軸、１１…インクジェットヘッド、１２…キャリッジ、１３…テンションガイド、１４…紙送りローラー、１５…紙押さえローラー、１６…前側紙送りローラー、１７…前側紙押さえローラー、１８…繰り出しローラー、１９…紙押さえローラー、２０…吸引プラテン機構、２１…プラテン、２１ａ…プラテン面、２１ｂ…吸引孔、２１ｃ…吸引孔列、２１ｄ…係合孔、２２…シャッター部材、２２ａ…貫通孔、２２ｂ…被係合部、２２ｂ1…被係合凸部、２２ｂ2…誘導溝、２２ｃ…弾性部材、２３…係合手段、２３ａ…係合部材、２３ａ1…円盤部、２３ａ2…係合凸部、２３ａ3…支持軸、２３ａ4…回転防止凸部、２３ｂ…係合位置固定部、２３ｃ…弾性部材、２３ｄ…溝、２３ｅ…係合手段上面、３０…開閉蓋、３０ａ…プラテン固定部、３０ｂ…係合位置固定動作部、３０ｃ…開閉蓋本体。
【図１】
2015139945.tif 000003
【図２】
2015139945.tif 000004
【図３】
2015139945.tif 000005
【図４】
2015139945.tif 000006
【図５】
2015139945.tif 000007
【図６】
2015139945.tif 000008
【図７】
2015139945.tif 000009
【図８】
2015139945.tif 000010
【図９】
2015139945.tif 000011
【図１０】
2015139945.tif 000012
【図１１】
2015139945.tif 000013
【図１２】
2015139945.tif 000014
【図１３】
2015139945.tif 000015
【図１４】
2015139945.tif 000016
【図１５】
2015139945.tif 000017